(57)【要約】【課題】本発明は、ケーシングに磁性板を介して設けられる空心コイルに磁性体を設け、磁力を向上させてトルクアップを得ることを目的とする。【解決手段】本発明によるゲーム機用モータは、ロータ(3)を有する回転軸(11)を回転自在に備えたケーシング(1)に、磁性板(2)を介して空心コイル(3)を設け、この空心コイル(3)の空隙(31)内に磁性体(30)を設けることにより、トルクアップを得る構成である。【選択図】図１
2005328613.tif 000002
【特許請求の範囲】
【請求項１】
ケーシング(1)に軸受(10)を介して回転自在に設けられた回転軸(11)と、前記回転軸(11)に設けられマグネット(12)を有するロータ(13)と、前記ケーシング(1)の内面に磁性板(2)を介して設けられ前記マグネット(12)に対向する空心コイル(3)とを備え、前記空心コイル(3)を励磁することにより前記ロータ(13)を回転させるようにしたゲーム機用モータにおいて、
前記空心コイル(3)の中心に形成された空隙(31)内に磁性体(30)を設けたことを特徴とするゲーム機用モータ。
【請求項２】
前記回転軸(11)の先端(11b)には、ハスバギア(15)が設けられていることを特徴とする請求項１記載のゲーム機用モータ。
【請求項３】
前記ケーシング(1)に設けられた筒状体(7)を有し、前記筒状体(7)の内側に設けられた一対の第１、第２軸受部によって前記軸受(10)を形成したことを特徴とする請求項１又は２記載のゲーム機用モータ。
【請求項４】
前記ロータ(13)に一体に形成され前記回転軸(11)の外周に沿って延設された筒状延長部(14)を有し、前記第１軸受部(8)の内側には前記筒状延長部(14)が位置していることを特徴とする請求項１ないし３の何れかに記載のゲーム機用モータ。
【発明の詳細な説明】
【技術分野】
【０００１】
本発明は、ゲーム機用モータに関し、特に、ケーシングに設けられた空心コイル内に磁性体を設けることにより、磁束密度を上げ、トルク向上を得るための新規な改良に関する。
【背景技術】
【０００２】
従来、用いられていたこの種のゲーム機用モータとしては、社内製作のみであるため、特許文献等は開示していないが、図２で示される構成を採用していた。
すなわち、図２において符号１で示されるものは板状をなすケーシングであり、このケーシング１の内面には磁性板２を介して複数の空心コイル３が所定角度間隔で円状に配設されている。
【０００３】
前記ケーシング１に形成された取付孔４には、筒状をなし大内径部５とこれよりも小径の小内径部６とを有する筒状体７が取付けられており、この大内径部５には大径の第１軸受部８が設けられ、この小内径部６には小径の第２軸受部９が設けられていると共に、前記第１、第２軸受部８、９により軸受１０が形成されている。
【０００４】
前記軸受１０には、回転軸１１が回転自在に設けられ、この回転軸１１には複数のマグネット１２を有するロータ１３が設けられている。
前記ロータ１３の中心に形成されこのロータ１３と一体の筒状延長部１４は、前記第１軸受部８の内周と回転軸１１の外周との間に位置し、回転軸１１とロータ１３とが回転自在に保持され、この回転軸１１の後端１１ａは前記第２軸受部９に直接嵌合している。
【０００５】
前記回転軸１１の先端１１ｂには、ギアであるハスバギア１５が設けられ、このハスバギア１５は、ゲーム機（図示せず）の被駆動ギア１６に噛合し、この回転軸１１の駆動によって被駆動ギア１６が回転されるように構成されている。
【０００６】
前述の構成において、各空心コイル３に順次駆動信号を供給することにより、空心コイル３から発生した磁力とマグネット１２の磁力の反発によって回転軸１１及びロータ１３は回転する。
【発明の開示】
【発明が解決しようとする課題】
【０００７】
従来のゲーム機用モータは、以上のように構成されていたため、次のような課題が存在していた。
すなわち、固定側のケーシングの磁性板に設けられた空心コイルは、その中心に空隙が形成され、対向するマグネットに対する磁力は十分ではなく、より大きいトルクを得ようとすると、モータ自体をより大型化せざるを得ず、ゲーム機、例えば、競馬ゲームの自走車用モータユニットのように大型化よりも小型化が要望される業界においては、より小型化の要望が強く、より小型で大きいトルク特性のモータが切望されていた。
【課題を解決するための手段】
【０００８】
本発明によるゲーム機用モータは、ケーシングに軸受を介して回転自在に設けられた回転軸と、前記回転軸に設けられマグネットを有するロータと、前記ケーシングの内面に磁性板を介して設けられ前記マグネットに対向する空心コイルとを備え、前記空心コイルを励磁することにより前記ロータを回転させるようにしたゲーム機用モータにおいて、前記空心コイルの中心に形成された空隙内に磁性体を設けた構成であり、また、前記回転軸の先端には、ハスバギアが設けられている構成であり、また、前記ケーシングに設けられた筒状体を有し、前記筒状体の内側に設けられた一対の第１、第２軸受部によって前記軸受を形成した構成であり、また、前記ロータに一体に形成され前記回転軸の外周に沿って延設された筒状延長部を有し、前記第１軸受部の内側には前記筒状延長部が位置している構成である。
【発明の効果】
【０００９】
本発明によるゲーム機用モータは、以上のように構成されているため、次のような効果を得ることができる。
すなわち、ケーシングの磁性板に設けられた各空心コイルに磁性体が設けられているため、空心コイルに通電した場合の発生磁力を向上させることができ、モータの形状を変えることなく、トルクアップを得ることができる。
【発明を実施するための最良の形態】
【００１０】
本発明は、ケーシングの磁性板に設けた空心コイルの中心に磁性体を設けることにより、励磁時の磁力を向上させ、トルクアップを得ることを目的とする。
【実施例】
【００１１】
以下、図面と共に本発明によるゲーム機用モータの好適な実施の形態について説明する。
尚、従来例と同一又は同等部分には同一符号を付して説明する。
図１において符号１で示されるものは板状をなすケーシングであり、このケーシング１の内面には磁性板２を介して複数の空心コイル３が所定角度間隔で円状に配設されている。
【００１２】
前記ケーシング１に形成された取付孔４には、筒状をなし大内径部５とこれよりも小径の小内径部６とを有する筒状体７が取付けられており、この大内径部５には大径の第１軸受部８が設けられ、この小内径部６には小径の第２軸受部９が設けられていると共に、前記第１、第２軸受部８、９により軸受１０が形成されている。
【００１３】
前記軸受１０には、回転軸１１が回転自在に設けられ、この回転軸１１には複数のマグネット１２を有するロータ１３が設けられている。
前記ロータ１３の中心に形成されこのロータ１３と一体の筒状延長部１４は、前記第１軸受部８の内周と回転軸１１の外周との間に位置し、回転軸１１とロータ１３とが回転自在に保持され、この回転軸１１の後端１１ａは前記第２軸受部９に直接嵌合している。
【００１４】
前記各空心コイル３の中心に形成された空隙３１には、前記各マグネット１２に対向するように磁性体３０が磁性板２に接着剤で固定して内設され、この空心コイル３に駆動信号を供給して励磁した場合、空心コイル３から発生する磁力の量を従来よりも大幅に向上させることができるように構成されている。
【００１５】
前記回転軸１１の先端１１ｂには、ギアであるハスバギア１５が設けられ、このハスバギア１５は、ゲーム機（図示せず）の被駆動ギア１６に噛合し、この回転軸１１の駆動によって被駆動ギア１６が回転されるように構成されている。
【００１６】
前述の構成において、磁性体３０を有する各空心コイル３に順次駆動信号を供給することにより、空心コイル３から発生した磁力とマグネット１２の磁力の反発によって回転軸１１及びロータ１３は回転する。
【産業上の利用可能性】
【００１７】
本発明は、ゲーム用のモータに限ることなく、一般の扁平型モータにも適用可である。
【図面の簡単な説明】
【００１８】
【図１】本発明によるゲーム機用モータを示す断面図である。
【図２】従来構成を示す断面図である。
【符号の説明】
【００１９】
１    ケーシング
２    磁性板
３    空心コイル
７    筒状体
８、９    第１、第２軸受部
１０    軸受
１１    回転軸
１１ａ    後端
１１ｂ    先端
１２    マグネット
１３    ロータ
１４    筒状延長部
１５    ハスバギア
３０    磁性体
３１    空隙
【図１】
2005328613.tif 000003
【図２】
2005328613.tif 000004